(57)【要約】【課題】本発明では雨水中のゴミ・油分を分離し得る装置において、雨水の流入量に対する取水量、取りこぼし量が可視化され、取水面の汚れを多く含む初期雨水を排除し、雨水だけでなく洗濯排水等の家庭排水も同時に濾過し、高層階からの雨水落下による装置の破損防止と騒音低減、更には油分の分離を行うことの出来るよう改良された装置の提供を目的とする。【課題を解決するための手段】図１に示す装置において図２に示すように上部管、下部管、雨水取り出し管の一部に透明管を用い取水状況を可視化、貯水部の貯水板に穴を開け吸水性樹脂（又はゴム）で出来た弁体を取り付けその収縮、膨張原理により初期雨水をカットし、図４に示すような家庭排水導入管を設け、図５に示すような複数の板状体を差し込み雨水落下速度を緩和し、また、図６に示す様に貯水板を雨水ゴミ分離装置側面に対し鋭角に差し込み、雨水取り出し管の水深を深くし油分の取り込みを押さえた。【選択図】図１
2010077755.tif 000002
【特許請求の範囲】
【請求項１】
雨水ゴミ分離装置（特願2002-134709）において、図２に示すように上部縦ドイとの繋ぎ部、雨水取り出し管、下部縦ドイ繋ぎ部に透明管を用いることにより雨水流入量、取水量、取りこぼし量を可視化することを特徴とする雨水ゴミ分離装置。
【請求項２】
図１の貯水部を構成する貯水板上であって、雨水取り出し管より下部に吸水性樹脂体（形状記憶合金、膨潤性ゴム等でも良い）より構成される吸水性樹脂体弁１０を有する排水孔を設ける事を特徴とする初期雨水カット機能付き雨水ゴミ分離装置。
【請求項３】
図１の構造の雨水ゴミ分離装置に図３に示すように中水投入管１１を設けることを特徴とする雨水兼中水ゴミ分離装置。
【請求項４】
前記各号の雨水ゴミ分離装置において図５に示すように縦ドイ内を落下する雨水の流速を減じる減速板１２を設けることを特徴とする雨水ゴミ分離装置。
【請求項５】
前記各号の雨水ゴミ分離装置に於いて図６に示す様に貯水板の差込角を鋭角にし水深を深くし、雨水取り出し管からの油分取り込みを押さえることを特徴とする雨水ゴミ、油分分離装置。  
【発明の詳細な説明】
【技術分野】
【０００１】
本発明は雨水、中水中の汚れ、ゴミの分離と油分をの取り込みを押さえる分離、濾過フィルターに関するものでる。
【背景技術】
【０００２】
縦ドイに接続し雨水と枯れ葉等を分離する装置は従来より存在し、雨水ゴミ分離装置（特願2002-134709）などがその一般的な手法であった。しかし、元々の取水効率をユーザー自らが簡単に確認したり、ゴミ等のつまり具合を把握するする手段は無かった。
【０００３】
また、吸水性樹脂、又は形状記憶合金、膨潤性ゴム体等の膨張、収縮原理を初期雨水排除用の弁の開閉に用いた装置、手段はこれまで無かった。
【０００４】
洗濯排水等の家庭排水を雨水と同時に処理する雨水ゴミ分離装置は存在しなかった。
【０００５】
更に近年、需要が高まりつつあるマンション、学校等高層階からの取水の際の取水時の衝撃、騒音に対する減速、消音機能を組み込んだ雨水ゴミ分離装置は特に存在しなかった。
【０００６】
更に高速道路上の雨水を利用するに当たり油と水の比重差により油分を分離する雨水ゴミ分離装置は存在しなかった。
【特許文献１】特願2002-134709
【発明の開示】
【発明が解決しようとする課題】
【０００７】
雨水中のゴミを分離し得る装置において、当初の取水効率が確認出来、また使用後においてゴミ分離メッシュの目詰まり状況が把握出来、また取水面の汚れを含む初期雨水を簡易な方法により排除出来、雨水だけでなく洗濯排水等の家庭排水も同時に濾過し、高層階からの雨水落下による装置の破損防止と騒音低減や油分の分離を行うことの出来る装置の提供を目的とする。
【課題を解決するための手段】
【０００８】
本発明は図１に示す基本構造の雨水ゴミ分離装置において図２に示すように装置上部管、雨水取り出し管、装置下部排出の一部に透明管を用いる事により、流入量に対する、取水量、取りこぼし量の把握が可能となり装置の評価を行うことが出来る。また、使用後においてはゴミ分離用メッシュのつまり具合を把握できる。
【０００９】
図１のパイプ内部に貯水部を作るための貯水板に穴を開け、図３に示すような吸水性樹脂体（固形でも袋体に入った粉体でも良い）の吸水で膨張、乾燥で収縮する性質を活かした弁を取り付ける。この取り付け位置は雨水取り出し管より下である。晴天が続いた後の降雨の場合は該水栓は乾燥収縮しているので図３のAが示す隙間から一定時間排水されるがその後、弁は次第に吸水膨張しBが示す様に隙間は塞がれ雨水取り出し管８から取水を開始するようになる。A’,B’は袋体に吸水性樹脂（又はゴム）粉体または顆粒体等が入った状態での弁を示す。温度変化で形状を変化させる形状記憶合金を開閉弁として用いる事も出来る。
【００１０】
図４に示すような洗濯排水等の家庭排水の投入管11を設ける。洗濯排水に含まれる糸くずなどを枯れ葉等と共にゴミ分離用メッシュで取ることが出来る。これらの繊維くずはメッシュ上に残るがその後の降雨である程度取り除かれる。
【００１１】
図５に示すような複数の板状体からなる減速板１２を交互に差し込んだ構造体を図１の装置上部に加えることにより、高層階からの雨水落下速度を緩和し、雨水による衝撃、騒音を押さえ、水根を細分化しゴミ分離用メッシュから取り込み易くする。
【００１２】
図６に示す様に貯水板７を雨水ゴミ分離装置側面に対し鋭角に差し込み、水面１３と雨水取り出し管の距離を長くすることにより、雨水への油分の混入を押さえることが出来る。
【発明の効果】
【００１３】
本発明によれば図２の透明パイプを用いる事によりこれまでユーザーに対し明確に示されていなかった市販の雨水フィルターの取水効率を正確に把握することが出来る。また、一定期間使用後においてはフィルターの目詰まり状況を把握し清掃等のメンテ時期の表示効果が生まれた。
【００１４】
また、吸水性樹脂体弁（吸水性ゴムその他、吸水性膨張物質）１０（形状は固形物であっても袋体に入った粉体であっても良い）の乾燥、吸水による収縮、膨張サイクルとその形状安定性を弁として利用する事により、安価で安定した初期雨水の排除手段として応用することが出来る。また、この手法によると前日雨が降って集水面が洗浄済みのような場合は吸水性樹脂弁は膨張したままなので初期雨水カットを行わず取水するので無駄な排水を行わない。
【００１５】
ゴミ分離用メッシュでの洗濯排水等の家庭排水を濾過するとメッシュ状に繊維屑が堆積しメッシュの編み目間隔を小さくしたのと同等の効果が生じ、枯れ葉などの分離、除去効果を高めることが出来る。しかしその一方、繊維が大量に堆積した場合、降雨によりこの屑が洗い流されるというコラボレーション効果が生じる。
【００１６】
大きな落差のある縦ト゛イ管から雨水を取る場合、集中豪雨時など水の衝撃によりゴミ分離用メッシュが変形、破損する可能性がある。また、図１以外の他の雨水取水法においても同様の問題発生可能性が存在した。図５のように左右から交互に減速板１２を差込水による衝撃、衝撃音を緩和することが出来る。また、減速板上に複数の穴を設けることにより水魂を細分化しゴミ分離用メッシュから取水効率を上げる効果が生じる。
【００１７】
図６に示す様に貯水板を雨水ゴミ分離装置側面に対し鋭角に差し込み、雨水取り出し管の
水深を深くすることにより、油分の取り込み量の削減効果が生じる。
【実施例】
【００１８】
本発明の実施例において図２では上部及び下部にジョイントを取り付け透明管(長さは任意)つなぎその他端に更にジョイントをつなぎ縦ドイと連結した。つまり透明管をおジョイントで挟むかたちで挿入縦ドイ部は完了した。雨水取り出し管では同様の手法で横方向のパイプの一部に透明管を挿入し両端をエルボーないしは継ぎ手にすることだけで容易に実施することができる。
【００１９】
請求項２では貯水板７上であり、雨水取り出し管より下方に排水の穴を開け、吸水性樹脂体A（コの字型）または吸水性樹脂粉体または顆粒入り袋A’（袋状）を図７のように取り付ける。これらは降雨により吸水を開始し、一定時間経つと膨張しBまたはB’の様に膨張し、貯水版７上の穴を塞ぎ止水弁の役割をする。続いて雨がやんだ後１０は乾燥、収縮し元に戻るが雨が降ったりやんだりの状況下では初期雨水の排除は行わない。すなわち一定量の雨が降り屋根面、屋上面の汚れ、粉塵等が流れ去った後、吸水樹脂体弁１０が乾燥し、集水面が汚れるまでは初期雨水の排除は行わない。この時間の調整はA,Bいずれの場合も吸水性樹脂の量でコントロールできる。吸水性樹脂体弁１０の形状はA,Bに示す以外にも乾燥時に脱落せず初期雨水排水用孔付近で隙間を維持しつつ存在し、膨張時にはこの隙間がふさがり止水出来る構造となり、一定時間後の乾燥時に元に戻るモノで有ればよい。急な温度変化により一時的に形状を変形する形状記憶合金を利用することにより、降雨を把握し一定時間排水する初期雨水カット弁を構成することが出来る。        
【００２０】
請求項３は塩ビ管を用いた中水投入管１１を導水板より上に設けることで簡単に実施できるが、ゴミ分離メッシュに流水が垂直に当たる設計にすると取水効率が増す。
【００２１】
請求項４は主に４階建て以上の高層階や高速道路等の縦ト゛イからの雨水利用において用いられる。高層階の縦ドイの場合、集中豪雨の際など大量の水魂が一気に落下する。この際の衝撃は大きく本発明に於ける取水装置以外でも破損する可能性が生じる。また、この際、大きな騒音等も発生する。学校などでの取水において騒音は勉学に支障を来す場合もある。この様な状況に対応するため落下水の速度を減速し、更に水魂を霧状には際する仕組みが必要である。その為、図５が示す様な複数の減速板１２を雨水ゴミ分離装置上部に設けその勢いを和らげる。この減速板１２はVU１００,VP１００（縦ドイの径に合わせ任意）程度のパイプに斜め下方向の切り込みを入れ、銅板やステンレス板等を交互に差し込み防水、固定処理を行い簡易に行うことが出来る。金属板等を縦ドイに直に差し込んでも良いし、減速板を差し込んだユニット化したパイプをジョイントでつなげて用いても良い。減速板上に複数の小穴を設けることで霧化を促進し衝撃を和らげる事も出来る。また、１つ１つの減速板上にシリコーン膜を形成したり、不織布等を張ったり、またその両方を上面に張ったものであっても良く、この場合、高い消音効果を示す。
【００２２】
高速道路上の雨水を緑地等への散水に利用する場合問題となるのが事故等による油分の混入である。油分を出来るだけ貯水タンク等に取り込まない為、図６に示すように貯水板の差込角度を可能な限り鋭角にし、雨水取り出し管に対する水面１３の距離を大きくする。通常、油分を含んだ雨水はゴミ分離メッシュ経由で貯水板により作られた雨水溜まりに落下する。この際、水より比重が軽い油の水中への沈み込みは水滴より僅かに小さくなる。落下速度を同じとした場合、水面から雨水取り出し管までの水深が大きくなればなるほど油分の分離は進むことになる。
【産業上の利用可能性】
【００２３】
本発明は一般家庭だけでなく、広範囲な建造物（道路面含む）にからの雨水、中水、油分の分離、処理手段として利用することが出来る。
【図面の簡単な説明】
【００２４】
【図１】本発明の基本構造を示す雨水、中水ゴミ分離装置の概念図である。
【図２】装置の上部、下部並びに雨水取り出し管一部に透明感を用いた構成を示す概念図である。
【図３】吸水性樹脂体が貯水板上の孔に開閉弁として設けられた状況を示す概念図である。
【図４】雨水以外の中水投入を行う中水管を設けた状況を示す概念図である。
【図５】複数の減速板を取り付けた状況を示す概念図である。
【図６】油分取り込みを押さえるため貯水板を鋭角に差し込み水深を深くした状況を示す概念図である。
【図７】吸水性樹脂体の膨張、収縮状況を示す概念図です。
【符号の説明】
【００２５】
１    縦ト゛イ管
２    ジョイント
３    雨水
４    本体管（円柱でも角柱でもよい）
５    導水板
６    ゴミ分離メッシュ
７    貯水板
８    雨水取り出し管
９    透明管
１０  吸水性樹脂体
１１  中水投入管
１２  減速板
１３  水面
A    乾燥した状態の固体の吸水性樹脂弁
B    吸水した状態の固体の吸水性樹脂弁
A’  乾燥した状態の袋に入った粉体（または顆粒状）の吸水性樹脂弁
B’  吸水した状態の袋に入った粉体（または顆粒状）の吸水性樹脂弁
【図１】
2010077755.tif 000003
【図２】
2010077755.tif 000004
【図３】
2010077755.tif 000005
【図４】
2010077755.tif 000006
【図５】
2010077755.tif 000007
【図６】
2010077755.tif 000008
【図７】
2010077755.tif 000009